(57)【要約】      （修正有）【課題】入力電圧が過電圧になったときにこれをユーザーに警告し、ユーザーの判断で動作を継続するか、入力電圧を停止するかを選択することを可能とする。【解決手段】トランスを用いて入力電圧Ｖｉｎを出力電圧に変換する電源回路１０を備えるテレビジョン１００は、入力電圧Ｖｉｎをトランスの１次側もしくは２次側の電圧値に基づいて監視する入力電圧監視回路４０の監視結果に基づいて入力電圧Ｖｉｎが所定値を超えたか否かを判断し、入力電圧Ｖｉｎが所定値を超えたと判断すると入力電圧Ｖｉｎが過剰である旨の警告を表示部３０の所定画面に表示する制御部２０と、を備える構成としてある。【選択図】図３
2012182954.tif 000002
【特許請求の範囲】
【請求項１】
トランスを用いて入力電圧を出力電圧に変換する電源回路を備える電気機器において、
前記入力電圧をトランスの１次側もしくは２次側の電圧値に基づいて監視する監視回路と、
当該監視回路の監視結果に基づいて前記入力電圧が所定値を超えたか否かを判断し、前記入力電圧が所定値を超えたと判断すると前記入力電圧が過剰である旨の警告を所定画面に表示する警告手段と、
を備えることを特徴とする電気機器。
【請求項２】
前記トランスはフライバックトランスであり、
前記監視回路は前記トランスの出力するフォワード電圧に基づいて前記入力電圧を監視する請求項１に記載の電気機器。
【請求項３】
前記監視回路は、フォトカプラを備えており、前記入力電圧を整流・平滑した電圧が前記所定値を超えると前記フォトカプラの発光素子を発光させて前記フォトカプラの受光素子に電流を発生させ、
前記警告手段は、前記フォトカプラの受光素子に流れる電流により発生する電圧を検知すると、前記入力電圧の異常にかかる警告表示を所定画面に行う請求項１に記載の電気機器。
【請求項４】
前記トランスはフライバックトランスであり、
前記監視回路は、前記トランスの２次巻線の負極側にカソードを接続されたダイオードと、負極を前記ダイオードのアノードに接続され正極をグランドに接続された電解コンデンサと、を備え、
前記警告手段は、前記ダイオードと前記電解コンデンサとにより整流・平滑された前記トランスのフォワード電圧に基づいて前記入力電圧が所定値を超えたか否かを判断する請求項１に記載の電気機器。
【請求項５】
前記監視回路は、
前記入力電圧を整流・平滑した電圧の伝送ラインとグランドとの間を接続する分割抵抗により構成される分圧回路と、
前記分割抵抗の分割点にゲートを接続された電界効果トランジスタと、
発光ダイオードとフォトトランジスタとで構成されるフォトカプラと、
を備え、
前記発光ダイオードはアノードを前記伝送ラインに向けつつカソードを前記グランドに向けて、前記電界効果トランジスタのドレイン−ソースおよび抵抗とともに伝送ラインとグランドとの間に直列接続を形成しており、
前記入力電圧を整流・平滑した電圧が前記所定値を超えると、前記電界効果トランジスタがターンオンして前記発光ダイオードに電流が流れて前記発光ダイオードが発光することにより前記フォトトランジスタに電流が発生し、
前記警告手段は、前記フォトカプラの受光素子に流れる電流により発生する電圧を検知すると、前記入力電圧の異常にかかる警告表示を所定画面に行う請求項１に記載の電気機器。
【発明の詳細な説明】
【技術分野】
【０００１】
本発明は電気機器に関し、特にトランスを用いて入力電圧を出力電圧に変換する電源回路を備える電気機器に関する。
【背景技術】
【０００２】
回路においては電流や電圧に関する推奨動作条件があり、従来から電源回路において発生する過電流や過電圧に対してする様々な対策が講じられてきた。
【０００３】
例えば、特許文献１には、電源回路のトランスもしくはその負荷側に生じたイレギュラーに起因してトランスの１次側に発生する過電流を検知する技術が開示されている。具体的には、トランスの１次側に流れる電流が増加するとトランスの２次側に過大な電圧（以下、過電圧と記載する）が発生し、当該過電圧によってリレースイッチが切り替わり、トランスの２次側の出力が停止する構成としてある。
【０００４】
また例えば、特許文献２には、トランスの２次側に発生する過大な電流（以下、過電流と記載する）に応じてトランスの１次側に発生する過電流をラッチするマイコンを備え、過電流をラッチしたときに当該マイコンがトランスの１次側の伝送ラインに介挿されたリレーをオフするとともに警告用ＬＥＤを点灯させる技術が開示されている。
【０００５】
また例えば、特許文献３には、誤って過電圧が電源回路に入力された場合に、トランスの２次側にあるサージアブソーバがショートモードで破壊することによりトランスの１次側に過電流を発生させ、当該過電流によりトランスの１次側に設けられているヒューズを溶断させる技術が開示されている。
【先行技術文献】
【特許文献】
【０００６】
【特許文献１】特開平２−３１１１２５号公報
【特許文献２】特開平４−２５３４８５号公報
【特許文献３】特開２０１０−２６３７３４号公報
【発明の概要】
【発明が解決しようとする課題】
【０００７】
一般に、電気機器の備える電源回路は、電源回路に対する過電圧の入力を防止するための対策として、大きく分けると以下の２種類を採用している。
【０００８】
１つ目は、電源回路のトランスの１次側にヒューズを備え、電源回路に過電圧が入力されると当該過電圧によって発生する過電流によってヒューズが溶断し、電源回路の動作を停止させるものである。上述した引用文献３の技術がこれに相当する。この場合、過電圧による事故は防止されるが、一度でも過電圧が入力されるとヒューズが溶断する。従って、再び電気機器を動作させるためには部品交換が必要である。また、過電圧が入力されたときにトランスの１次側に過電流を発生させてヒューズを溶断させるための回路設計も必要となる。
【０００９】
２つ目は、特に対策を行わず、仮に過電圧が入力されても、保証外の動作としてそのまま動作を継続するものである。この場合、前者に比べて設計は容易であるが、過電圧の入力時も動作を継続するため誤動作や故障の可能性がある。
【００１０】
本発明は、上記課題に鑑みてなされたもので、入力電圧が過電圧になったときにこれをユーザーに警告し、ユーザーの判断で動作を継続するか入力電圧を停止するかを選択することが可能な電気機器の提供を目的とする。
【課題を解決するための手段】
【００１１】
上述した課題を解決するために、本発明にかかる電気機器は、トランスを用いて入力電圧を出力電圧に変換する電源回路を備える電気機器において、前記入力電圧をトランスの１次側もしくは２次側の電圧値に基づいて監視する監視回路と、当該監視回路の監視結果に基づいて前記入力電圧が所定値を超えたか否かを判断し、前記入力電圧が所定値を超えたと判断すると前記入力電圧が過剰である旨の警告を所定画面に表示する警告手段と、を備える構成としてある。
【００１２】
前記監視回路は、前記入力電圧の変動を監視可能であれば前記電源回路の備えるトランスの１次側の電圧に基づいて前記入力電圧の変動を監視してもよいし、前記電源回路の備えるトランスの２次側の電圧に基づいて前記入力電圧の変動を監視してもよい。なお、ここで言う入力電圧は、入力電圧が交流の場合、瞬時値ではなく、実効値、最大値、平均値等のように交流の大きさを表す指標を指すものとする。
前記警告手段は、当該監視回路の監視結果に基づいて前記入力電圧が所定値を超えたか否かを判断し、前記入力電圧が所定値を超えたと判断すると前記入力電圧が過剰である旨の警告を所定画面に表示する。
【００１３】
その結果、ユーザーは、前記警告手段による表示を見て入力電圧が異常であることを認識し、入力電圧の入力を停止するか否かを判断できるようになる。例えば、ユーザーは、ＡＣプラグからＡＣソケットを抜くか、そのまま電気機器を動作させるかを判断することができる。このとき、ユーザーがＡＣプラグからＡＣソケットを抜けば、電気回路における故障・誤作動は最小限で済むが、むろんユーザーの判断によりリスクを承知でそのまま動作させることも可能である。また、当該構成においてはヒューズを組み込む必要が無いため、回路設計が容易化するし、ヒューズの溶断による部品交換が発生しないため修理コストも低下する。
【００１４】
また、本発明の選択的な一態様は、前記トランスはフライバックトランスであり、前記監視回路は前記トランスの出力するフォワード電圧に基づいて前記入力電圧を監視する構成とされる。フライバック方式の電源回路では、前記電源回路は、負荷を駆動するための駆動電圧としてフライバック電圧を整流・平滑した電圧を利用しており、通常はフォワード電圧は利用されていない。このフォワード電圧は、前記入力電圧の変動に応じて変動するという特性を有している。
当該構成によれば、通常は利用されないフォワード電圧に着目して監視することにより、前記トランスの２次側で監視しつつも前記トランスの１次側における前記入力電圧の変動を監視することができる。前記警告普段は前記電源回路により駆動されるものであり、前記電源回路の２次側に位置している。従って、前記監視回路から前記警告手段に検知結果を伝達する際に、フォトカプラなどで電気的に絶縁することなく前記警告手段に検知結果を伝達することが可能であり、前記監視回路を低コストで実現できる。
【００１５】
また、本発明の選択的な一態様は、前記監視回路がフォトカプラを備えており、前記入力電圧を整流・平滑した電圧が前記所定値を超えると前記フォトカプラの発光素子を発光させて前記フォトカプラの受光素子に電流を発生させ、前記警告手段は、前記フォトカプラの受光素子に流れる電流により発生する電圧を検知すると、前記入力電圧の異常にかかる警告表示を所定画面に行う構成とされる。なお、当該構成は、前記トランスとしてフライバックトランスを備える電源回路に適用することもできるし、他の種類のトランスを備える電源回路の適用することもできる。
当該構成においては、前記監視回路が、前記トランスの１次側で直接に前記入力電圧を監視しているため、トランスの２次側で前記入力電圧を間接的に検出する場合に比べると、検知精度が高くなる。トランスには、インダクタばらつきがあるためである。
【００１６】
また、本発明の選択的な一態様は、前記トランスがフライバックトランスであり、前記監視回路が、前記トランスの２次巻線の負極側にカソードを接続されたダイオードと、負極を前記ダイオードのアノードに接続され正極をグランドに接続された電解コンデンサと、を備え、前記警告手段が、前記ダイオードと前記電解コンデンサとにより整流・平滑された前記トランスのフォワード電圧に基づいて前記入力電圧が所定値を超えたか否かを判断する構成とされる。
【００１７】
また、本発明の選択的な一態様は、前記監視回路が、前記入力電圧を整流・平滑した電圧の伝送ラインとグランドとの間を接続する分割抵抗により構成される分圧回路と、前記分割抵抗の分割点にゲートを接続された電界効果トランジスタと、発光ダイオードとフォトトランジスタとで構成されるフォトカプラと、を備え、前記発光ダイオードはアノードを前記伝送ラインに向けつつカソードを前記グランドに向けて、前記電界効果トランジスタのドレイン−ソースおよび抵抗とともに伝送ラインとグランドとの間に直列接続を形成しており、前記入力電圧を整流・平滑した電圧が前記所定値を超えると、前記電界効果トランジスタがターンオンして前記発光ダイオードに電流が流れて前記発光ダイオードが発光することにより前記フォトトランジスタに電流が発生し、前記警告手段は、前記フォトカプラの受光素子に流れる電流により発生する電圧を検知すると、前記入力電圧の異常にかかる警告表示を所定画面に行う構成とされる。
【発明の効果】
【００１８】
以上説明したように本発明によれば、入力電圧が過大な場合に実力動作を継続しつつユーザーに過電圧を警告し、ユーザーの判断により装置の安全を図ることが可能な電気機器を提供することができる。
請求項２にかかる発明によれば、監視回路を低コストで実現できる。
請求項３にかかる発明によれば、監視回路の検知精度を向上できる。
請求項４にかかる発明によれば、低コストな監視回路を具体的に実現できる。
請求項５にかかる発明によれば、検知精度の高い監視回路を具体的に実現できる。
【図面の簡単な説明】
【００１９】
【図１】テレビジョンの外観を模式的に示した図である。
【図２】推奨動作条件を超える電圧の電源に接続されたときに、テレビジョンの画面に表示される通知の一例である。
【図３】テレビジョンの概略的な構成を示すブロック図である。
【図４】電源回路のフライバック電圧とフォワード電圧について説明する図である。
【図５】入力電圧監視回路の第１の実施例を示す回路図である。
【図６】入力電圧監視回路の第２の実施例を示す回路図である。
【発明を実施するための形態】
【００２０】
以下、下記の順序に従って本発明の実施形態を説明する。
（１）電気機器の構成：
（２）第１の実施例：
（３）第２の実施例：
（４）まとめ：
【００２１】
（１）電気機器の構成： 
図１は、テレビジョンの外観を模式的に示した図である。同図に示すテレビジョンは、本実施形態にかかる電気機器の一例である。なお、本実施形態における電気機器は、アナログ回路のみならずＩＣ（Integrated Circuit）のような電子回路を含む機器も含むものとする。
同図に示すテレビジョン１００は、推奨動作条件を超える電圧の電源に接続されたときに当該電源で動作が可能であるが、当該電源で動作させた場合は誤動作や故障の可能性がある。例えば、テレビジョン１００は、電源の推奨動作条件がＡＣ１００Ｖとなっており、基本的にＡＣプラグＰはＡＣ１００ＶのＡＣソケットＳＣ１への接続が推奨されるが、仮にＡＣプラグＰをＡＣ２００ＶのＡＣソケットＳＣ２に接続しても、保証の対象外であって故障や誤動作の可能性はあるものの一応の動作は可能になっている。そこで、テレビジョン１００は、推奨動作条件を超える電圧の電源に接続されたことをユーザーに通知するようになっている。
【００２２】
ユーザーに対する通知は、テレビジョン１００の備える後述する電源回路がＡＣ電源電圧に基づいて各種の電源電圧の生成を開始したときに行われる。
例えば、ＡＣプラグＰをＡＣソケットに接続すると即座にスタンバイ状態やオン状態に移行する機器、すなわちＡＣプラグＰをＡＣソケットに接続すると即座に各構成に対する電源電圧の供給を電源回路が開始する機器であれば、ユーザーがＡＣプラグＰをＡＣソケットに接続したときに通知が行われる。また例えば、主電源が入るまでスタンバイ状態やオン状態に移行しない機器、すなわち主電源が入るまで各構成に対する電源電圧の供給を電源回路が開始しない機器であれば、ユーザーが主電源を入れたときに通知が行われる。
むろん、ユーザーが推奨動作条件を超える電源での動作のリスクを認識しつつ当該動作を希望することも考えられるため、当該通知の有無を切換えるための設定項目を設けてもよい。この場合、ユーザーは、設定画面等を介して当該通知を行わないように設定することができる。
【００２３】
図２は、推奨動作条件を超える電圧の電源に接続されたときに、テレビジョン１００の画面に表示される通知の一例をである。同図では、テレビジョン１００の画面に、接続されている電源が推奨動作条件を超えている旨（入力電圧が過剰である旨）を通知するための「電源が推奨動作条件に合っていません」というメッセージと、このまま動作を続けた場合の危険性を通知するための「このまま使用すると破損・誤動作・故障のおそれがあります」というメッセージが表示されている。むろん、これらメッセージは一例であって適宜に変更可能であり、端的に「ＡＣ１００Ｖ（定格電源）以外に接続されています」としたり「コンセントを抜いてください」としても構わない。
【００２４】
また、このまま使用を継続するか否かをユーザーに選択させるための「動作保証外となりますがこのまま使用を継続しますか？」というメッセージも表示されている。ここで、ユーザーがリモコンなどの操作入力部を操作して使用の継続を意味する「Ｙｅｓ」を選択するとテレビジョン１００は保証外であるもののそのまま起動・動作する。一方、ユーザーが使用を継続しないことを意味する「Ｎｏ」を選択するとテレビジョン１００は起動を停止し、電源回路は電源電圧の生成を中止する。このとき更に、例えば「コンセントを抜いてください」等のメッセージを表示してもよい。このような通知を実行するための構成として、テレビジョン１００は図３の構成を備えている。
【００２５】
図３は、テレビジョン１００の概略的な構成を示すブロック図である。同図に示すように、テレビジョン１００は、ＡＣプラグＰから入力されるＡＣ電源をフライバックトランスにて各種の電源電圧に変換して出力するフライバック方式の電源回路１０と、電源回路１０から供給される電源電圧にて動作する制御部２０と、制御部２０の制御に従って各種の情報を画面に表示する表示部３０と、を備えている。むろん、電源回路１０は制御部２０や表示部３０以外にも種々の構成に電源電圧を供給可能であり、負荷は制御部や表示部３０に限るものではない。
【００２６】
電源回路１０は、電源回路１０の入力電圧Ｖｉｎの電圧値を監視する入力電圧監視回路４０を備えている。入力電圧監視回路４０は、入力電圧Ｖｉｎの監視結果を制御部２０へ出力する。なお、入力電圧監視回路４０は電源回路１０の外部に設けられてもよい。
制御部２０は、表示部３０に上述した通知を表示させるためにＯＳＤ（On Screen Display）回路２１を備えている。すなわち、ＯＳＤ回路２１を備えて表示部３０に通知を表示させる制御部２０は、本実施形態において警告手段を構成する。なお、制御部２０は、電源回路１０から電源電圧を供給されており、当然ながら電源回路１０のトランスの２次側に位置している。また、電源回路１０から制御部２０等の負荷へ供給される電圧はレギュレータ等を介して供給されるため、仮に入力電圧Ｖｉｎに影響されて通常よりも高い電圧が電源回路１０から出力されても、制御部２０等の負荷は一応の動作が可能になっている。
【００２７】
ここで、電源回路１０は上述したようにフライバック方式であるため、負荷に対してはフライバック電圧を出力する。図４は、電源回路１０のフライバック電圧とフォワード電圧について説明する図である。同図に示す電圧は、電源回路１０のトランスの２次巻線に発生する電圧を示してある。同図に示すように、基準電圧（０Ｖ）より高い側（プラス側）に発生するフライバック電圧Ｖｆｌｙは入力電圧Ｖｉｎの大小に影響されにくく、入力電圧Ｖｉｎが１００Ｖであっても２００Ｖであってもほぼ一定値となる。一方、基準電圧（０Ｖ）より低い側（マイナス側）に発生するフォワード電圧Ｖｆｏｒは入力電圧Ｖｉｎのが大きくなるほど絶対値が大きくなり、入力電圧Ｖｉｎが小さくなるほど絶対値が小さくなるという特性を有している。
【００２８】
そこで、本実施形態では、入力電圧監視回路４０の監視方式として、フライバックトランスの１次側の入力電圧Ｖｉｎを直接に監視する方式と（下記、第１の実施例）、フライバックトランスの２次側に発生するフォワード電圧Ｖｆｏｒに基づいて間接的に入力電圧Ｖｉｎを監視する方式（下記、第２の実施例）の、２つの方式を提案する。なお、第１の実施例にかかる方式は精度は高いというメリットがあるが高コストである。一方、第２の実施例にかかる方式は、トランスのインダクタばらつきが原因となり、前者の方式に比べると一割程度精度が低くなるが低コストで実現できるというメリットが有る。
【００２９】
（２）第１の実施例： 
図５は、入力電圧監視回路の第１の実施例を示す回路図である。同図には、入力電圧監視回路の監視対象となる電源回路の回路構成も記載してある。
同図に示すように、電源回路１０は、上述したＡＣプラグＰを介してＡＣ電源を入力されるようになっており、当該ＡＣ電源を整流して直流に変換する整流回路１１、整流回路１１の出力する直流からリップルを除去する平滑回路１２、整流・平滑後の直流を１次巻線１６ａに印加されるトランス１６、トランス１６の1次巻線１６ａに対する直流の印加のオンオフを切換えるためのスイッチング素子１４、スイッチング素子１４のオンオフを制御するスイッチング制御部１５、を備えている。
【００３０】
整流回路１１は、例えばダイオードブリッジ回路等で構成することができる。
平滑回路１２は、例えば平滑コンデンサ等で構成することができる。
トランス１６は、フライバックトランスで構成される。なお、本第１の実施例にかかる入力電圧監視回路４０は、トランスの１次側の電圧を監視対象としているため、フライバックトランス以外のトランスで構成された電源回路に対しても適用可能である。
スイッチング素子は、例えばＭＯＳＦＥＴ（電界効果トランジスタ）で構成することができる。
スイッチング制御部１５は、自励式のスイッチング回路であってもよいし、他励式のスイッチング回路であってもよい。
【００３１】
図５に示すように、入力電圧監視回路４０ａは、入力電圧Ｖｉｎを整流・平滑した直流電圧Ｖｄｃを所定割合に分圧する分圧回路４１ａ、分圧回路４１ａの出力する分圧Ｖｄｉｖが所定値を超えるとターンオンするスイッチング素子４２ａ、スイッチング素子４２ａがターンオンすると発光素子が発光し受光素子がこれを受光して所定の電圧信号を制御部２０に入力するフォトカプラ４３ａ、を備えている。フォトカプラ４３ａは、例えば発光素子としての発光ダイオードと受光素子としてのフォトトランジスタの組合せにより構成される。分圧回路４１ａは、例えば分割抵抗により構成することができる。スイッチング素子４２ａは、ＦＥＴ（電界効果トランジスタ）で構成することができる。
【００３２】
分圧回路４１ａは、直流電圧Ｖｄｃの伝送ラインとグランドとの間に設けられており、入力電圧Ｖｉｎが推奨動作電圧を超えた所定電圧になったときに、上述した所定値を分圧Ｖｄｉｖとして出力するように調整されている。例えば、分圧回路４１ａを分割抵抗にて構成する場合は、分割抵抗の分割点から出力する。このとき、スイッチング素子４２ａをＦＥＴで構成すると、分割抵抗の分割点はＦＥＴのゲートに接続される。すなわち、分圧回路４１ａは、分圧Ｖｄｉｖが上述した所定値以下の場合はスイッチング素子をターンオンせず、分圧Ｖｄｉｖが上述した所定値を超えるとスイッチング素子をターンオンする。
なお、所定電圧は、当該所定電圧を超えた電圧が入力されるとテレビジョン１００を構成する何れかの回路に故障・誤動作の発生する可能性のある電圧、もしくは何らかの規格で当該所定電圧を超えてはならない旨が規定されている電圧であり、本実施形態では、推奨動作電圧が１００Ｖであり、当該所定電圧が２００Ｖ（倍電圧）であるものとする。
【００３３】
フォトカプラ４３ａの発光素子は抵抗と直列接続されており、当該直列接続により形成された回路は、直流電圧Ｖｄｃの伝送ラインとグランドとの間を接続している。当該直列接続により形成された回路は、少なくとも入力電圧Ｖｉｎが上述した所定電圧を超えたときに流れる電流が発光素子を発光可能なように、抵抗値が設定されている。
【００３４】
スイッチング素子４２ａは、フォトカプラ４３ａの発光素子と抵抗とで形成される直列接続に流れる電流を、分圧Ｖｄｉｖに基づいてオンオフ可能に構成されている。例えば、スイッチング素子４２ａをＦＥＴで構成した場合は、ＦＥＴのソース−ドレインが、フォトカプラ４３ａの発光素子と抵抗とで形成される直列接続に対し、直列に介挿される。
ここで、分圧Ｖｄｉｖが上述した所定値以下の場合は、スイッチング素子４２ａがターンオンしないため、発光素子と抵抗により形成される直列接続には電流が流れず、その結果、フォトカプラ４３ａの発光素子は発光せず、制御部２０の所定端子には所定の電圧信号が入力されない。一方、分圧Ｖｄｉｖが上述した所定値を超えると、スイッチング素子４２ａがターンオンし、発光素子と抵抗により形成される直列接続に電流が流れ、その結果、フォトカプラ４３ａの発光素子が発光するため、制御部２０の所定端子には所定の電圧信号が入力される。
【００３５】
制御部２０は、所定端子に入力される電圧を周期的に検知しており、所定端子に所定の電圧信号が入力されたことを検知すると、ＯＳＤ回路２１を制御して、例えば図２に示す通知を表示部３０に表示させる。
その結果、ユーザーがテレビジョン１００のＡＣプラグＰをＡＣ２００ＶのＡＣソケットに接続し、電源回路１０がＡＣ２００Ｖに基づいて各種の電源電圧の生成を開始すると、テレビジョン１００の表示部３０に、「電源が推奨動作条件に合っていません」というメッセージや「このまま使用すると破損・故障・誤動作のおそれがあります」というメッセージが表示される。これを見たユーザーは、テレビジョン１００をＡＣ１００ＶのＡＣソケットに接続しなおすか、リスクを承知でそのまま動作させるかを選択することができる。
【００３６】
（３）第２の実施例： 
図６は、入力電圧監視回路の第２の実施例を示す回路図である。同図には、入力電圧監視回路の監視対象となる電源回路も記載してあるが、電源回路の構成は上述した第１の実施例と同様であるため、図６の電源回路には図５と同じ符号を付し、以下では説明を省略する。
【００３７】
入力電圧監視回路４０ｂは、フライバックトランスであるトランス１６の２次巻線１６ｂの負極から出力されるフォワード電圧Ｖｆｏｒを整流する整流回路４１ｂ、整流回路４１ｂの出力する直流を平滑する平滑回路４２ｂ、を備えている。なお、本第２の実施例においては、トランス１６から各負荷（制御部２０等）へ供給される電源電圧は、トランス１６の２次巻線から出力されるフライバック電圧Ｖｆｌｙを整流・平滑したものとなる。
【００３８】
整流回路４１ｂは、例えばカソードをフライバックトランスの２次巻線の負極側に接続し、アノードを平滑回路４２ｂに接続されたダイオードで構成することができる。平滑回路４２ｂは、例えば整流回路４１ｂの出力ラインに負極を接続した電解コンデンサにより構成することができる。整流回路４１ｂと平滑回路４２ｂとによって整流・平滑されたフォワード電圧Ｖｆｏｒは、制御部２０の所定端子に入力される。制御部２０は、所定端子に入力される電圧を周期的に監視しており、所定端子に入力されるフォワード電圧Ｖｆｏｒが所定値を下回ったことを検知すると、入力電圧Ｖｉｎが所定電圧を超えたものと判断する。
【００３９】
その結果、入力電圧Ｖｉｎが上述した所定電圧以下の場合は、制御部２０の所定端子に入力されるフォワード電圧Ｖｆｏｒが所定値を下回らないため、制御部２０は表示部３０に対する通知を行わず、入力電圧Ｖｉｎが上述した所定電圧を超えると、制御部２０の所定端子に入力されるフォワード電圧Ｖｆｏｒが所定値を下回るため、制御部２０はＯＳＤ回路２１を制御して、例えば図２に示す通知を表示部３０に表示させる。
【００４０】
すなわち、ユーザーがテレビジョン１００のＡＣプラグＰをＡＣ２００ＶのＡＣソケットに接続し、電源回路１０がＡＣ２００Ｖに基づいて各種の電源電圧の生成を開始すると、テレビジョン１００の表示部３０に、「電源が推奨動作条件に合っていません」というメッセージや「このまま使用すると破損・故障・誤動作のおそれがあります」というメッセージが表示される。これを見たユーザーは、テレビジョン１００をＡＣ１００ＶのＡＣソケットに接続しなおすか、リスクを承知でそのまま動作させるかを選択することができる。
【００４１】
（４）まとめ： 
以上説明したトランス１６を用いて入力電圧Ｖｉｎを出力電圧に変換する電源回路１０を備えるテレビジョン１００は、入力電圧Ｖｉｎをトランスの１次側もしくは２次側の電圧値に基づいて監視する入力電圧監視回路４０ａ（もしくは入力電圧監視回路４０ｂ）と、入力電圧監視回路４０ａ（もしくは入力電圧監視回路４０ｂ）の監視結果に基づいて入力電圧Ｖｉｎが所定値を超えたか否かを判断し、入力電圧Ｖｉｎが所定値を超えたと判断すると入力電圧Ｖｉｎが過剰である旨の警告を表示部３０の所定画面に表示する制御部２０と、を備えている。よって、入力電圧Ｖｉｎが過電圧になったときにこれをユーザーに警告し、ユーザーの判断で動作を継続するか、入力電圧を停止するかを選択することが可能となる。
【００４２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４３】
１０…電源回路、１１…整流回路、１２…平滑回路、１４…スイッチング素子、１５…スイッチング制御部、１６…トランス、１６ａ…１次巻線、１６ｂ…２次巻線、２０…制御部、２１…ＯＳＤ回路、３０…表示部、４０…入力電圧監視回路、４０ａ…入力電圧監視回路、４０ｂ…入力電圧監視回路、４１ａ…分圧回路、４１ｂ…整流回路、４２ａ…スイッチング素子、４２ｂ…平滑回路、４３ａ…フォトカプラ、１００…テレビジョン、Ｐ…ＡＣプラグ、ＳＣ１…ＡＣソケット、ＳＣ２…ＡＣソケット、Ｖｄｃ…直流電圧、Ｖｉｎ…入力電圧、Ｖｄｉｖ…分圧、Ｖｆｌｙ…フライバック電圧、Ｖｆｏｒ…フォワード電圧
【図１】
2012182954.tif 000003
【図２】
2012182954.tif 000004
【図３】
2012182954.tif 000005
【図４】
2012182954.tif 000006
【図５】
2012182954.tif 000007
【図６】
2012182954.tif 000008